(57)【要約】【課題】  遊園地やゲームセンタ、或いはホテルの遊戯室等に設置されることが望ましい、新たな遊戯具を提案する。【解決手段】  遊戯具１は、ターンテーブル２に５基の移動側座席３，４，５，６，７が設置され、その周囲に５基の固定側座席１０，１１，１２，１３，１４が設置されたものである。男子は、移動側座席３，４，５，６，７に座った女子の中で気に入った人に投票する。同様に移動側座席３，４，５，６，７に座った女子は、固定側座席１０，１１，１２，１３，１４に座った男子の中で気に入った人に投票する。投票の結果、特定の男子が投票した女子が当該男子を投票したならば、表示装置の表示部が点灯する。【選択図】  図１
2006223727.tif 000002
【特許請求の範囲】
【請求項１】
所定の位置に固定された複数の固定側座席と、移動可能に構成された複数の移動側座席を備え、各移動側座席は各固定側座席と対面する位置に順次移動してゆくことを特徴とする遊戯具。
【請求項２】
環状に連結され一体的に移動する移動側座席と、移動側座席の周囲に設けられた固定側座席を備え、各移動側座席は各固定側座席と対面する位置に順次移動してゆくことを特徴とする遊戯具。
【請求項３】
各移動側座席はターンテーブルに載置され、当該ターンテーブルを回転させることによって各固定側座席と対面する位置に順次移動してゆくことを特徴とする請求項１又は２に記載の遊戯具。
【請求項４】
各移動側座席はコンベア装置に載置され、コンベア装置を動作させることによって各固定側座席と対面する位置に順次移動してゆくことを特徴とする請求項１又は２に記載の遊戯具。
【請求項５】
固定側座席同士の間には仕切りが設けられていることを特徴とする請求項１乃至４のいずれかに記載の遊戯具。
【請求項６】
移動側座席同士の間には仕切りが設けられていることを特徴とする請求項１乃至５のいずれかに記載の遊戯具。
【請求項７】
一の移動側座席は、一の固定側座席と対面する位置で一定時間停止し、当該時間が経過後に隣接する他の一の固定側座席と対面する位置に移動することを特徴とする請求項１乃至６のいずれかに記載の遊戯具。
【請求項８】
各固定側座席には、各移動側座席のいずれかを選択する固定側選択スイッチが設けられ、各移動側座席には、各固定側座席のいずれかを選択する移動側選択スイッチが設けられ、いずれかの固定側選択スイッチと、いずれかの移動側選択スイッチが互いに相手を選択し合った時、所定の表示がなされることを特徴とする請求項１乃至７のいずれかに記載の遊戯具。
【請求項９】
音声発生手段が設けられ、当該音声発生手段によって話題が提供されることを特徴とする請求項１乃至８のいずれかに記載の遊戯具。
【発明の詳細な説明】
【技術分野】
【０００１】
本発明は、遊戯具に関するものである。本発明の遊戯具は、遊園地やゲームセンタ、ホテルの遊戯室、或いは老人ホームの娯楽室等に設置されることが望ましいものである。
【背景技術】
【０００２】
遊園地やゲームセンターには、数々の遊戯具が設置されている。
遊戯具にはジェットコースターの様にスリルを楽しむもの、観覧車の様に景色を楽しむもの、メリーゴーラウンドの様に雰囲気を楽しむものがある。またエアーホッケー（登録商標）の様に友人との対戦を楽しむものもある。さらに新たに次の特許文献の様な遊戯具が発明されている。
【特許文献１】実用新案登録第３０９７７５９号公報
【発明の開示】
【発明が解決しようとする課題】
【０００３】
従来技術の遊戯具は、それぞれ楽しいものであるが、いずれは飽きられる。そのため当該業界では、次々と新しい遊戯具を開発することが必要である。
そこで本発明は、従来に無い新たな遊戯具の提案を課題とするものである。
【課題を解決するための手段】
【０００４】
上記した課題を解決するための請求項１に記載の発明は、所定の位置に固定された複数の固定側座席と、移動可能に構成された複数の移動側座席を備え、各移動側座席は各固定側座席と対面する位置に順次移動してゆくことを特徴とする遊戯具である。
【０００５】
また請求項２に記載の発明は、環状に連結され一体的に移動する移動側座席と、移動側座席の周囲に設けられた固定側座席を備え、各移動側座席は各固定側座席と対面する位置に順次移動してゆくことを特徴とする遊戯具である。
【０００６】
請求項１及び２に記載の発明は、お見合いゲームの様なゲームをして遊ぶ遊戯具である。即ち本発明は、固定側座席に座った使用者と移動側座席に座った使用者が会話を楽しむ遊戯具である。
本発明の遊戯具では、複数の使用者によってゲームをする。即ち請求項１及び２に記載の遊戯具は、移動側座席と固定側座席を備え、使用者は各座席に座る。この時、例えば男性は固定側座席に座り、移動側座席には女性が座るといった様に所定のグループ分けをして固定側座席と移動側座席に座る人を決める。
そして本発明の遊戯具では、各移動側座席が各固定側座席と対面する位置に順次移動してゆく。そのため各使用者は、異なる人と次々に対面することとなり、複数の人とお喋りをすることができる。
【０００７】
また請求項３に記載の発明は、各移動側座席はターンテーブルに載置され、当該ターンテーブルを回転させることによって各固定側座席と対面する位置に順次移動してゆくことを特徴とする請求項１又は２に記載の遊戯具である。
【０００８】
本発明の遊戯具では、移動側座席がターンテーブルに設置され、ターンテーブルを回転することによって移動側座席を移動させるから、各移動側座席は一斉に移動する。そのため待ち時間が無く、使用者が退屈しない。
【０００９】
また請求項４に記載の発明は、各移動側座席はコンベア装置に載置され、コンベア装置を動作させることによって各固定側座席と対面する位置に順次移動してゆくことを特徴とする請求項１又は２に記載の遊戯具である。
【００１０】
本発明の遊戯具では、移動側座席がコンベア装置に載置され、コンベア装置を動作させることによって移動側座席を移動させるから、各移動側座席は一斉に移動する。そのため待ち時間が無く、使用者が退屈しない。
【００１１】
請求項５に記載の発明は、固定側座席同士の間には仕切りが設けられていることを特徴とする請求項１乃至４のいずれかに記載の遊戯具である。
【００１２】
本発明の遊戯具では、固定側座席同士の間には仕切りが設けられているから、固定側座席に座った使用者と移動側座席の座った使用者が一対一の雰囲気となる。
【００１３】
請求項６に記載の発明は、移動側座席同士の間には仕切りが設けられていることを特徴とする請求項１乃至５のいずれかに記載の遊戯具てある。
【００１４】
本発明の遊戯具では、移動側座席同士の間には仕切りが設けられているから、固定側座席に座った使用者と移動側座席の座った使用者が一対一の雰囲気となる。
【００１５】
また請求項７に記載の発明は、一の移動側座席は、一の固定側座席と対面する位置で一定時間停止し、当該時間が経過後に隣接する他の一の固定側座席と対面する位置に移動することを特徴とする請求項１乃至６のいずれかに記載の遊戯具である。
【００１６】
本発明の遊戯具では、移動側座席は、固定側座席と対面した状態で一定時間停止するので、使用者は一定時間会話を楽しめる。
【００１７】
また請求項８に記載の発明は、各固定側座席には、各移動側座席のいずれかを選択する固定側選択スイッチが設けられ、各移動側座席には、各固定側座席のいずれかを選択する移動側選択スイッチが設けられ、いずれかの固定側選択スイッチと、いずれかの移動側選択スイッチが互いに相手を選択し合った時、所定の表示がなされることを特徴とする請求項１乃至７のいずれかに記載の遊戯具である。
【００１８】
本発明の遊戯具では、いずれかの固定側選択スイッチと、いずれかの移動側選択スイッチが互いに相手を選択し合った時、所定の表示がなされるので、気の合う者の組み合わせを知ることができる。
【００１９】
また請求項９に記載の発明は、音声発生手段が設けられ、当該音声発生手段によって話題が提供されることを特徴とする請求項１乃至８のいずれかに記載の遊戯具である。
【００２０】
本発明の遊戯具では、音声発生手段によって話題が提供されるので、口下手な者同士でも会話が弾む。
【発明の効果】
【００２１】
本発明の遊戯具は、使用者同士が会話を楽しむことができ、楽しい。
【発明を実施するための最良の形態】
【００２２】
図１は、本発明の実施形態の遊戯具の斜視図である。図２は、図１の遊戯具の固定側座席及びその周辺の斜視図である。図３は、図１の遊戯具のターンテーブル上の表示装置と隔壁を示す斜視図である。図４は、図１の遊戯具の動作を示すフローチャートである。
本発明の遊戯具１は、図１の様に、ターンテーブル２に５基の移動側座席３，４，５，６，７が設置され、その周囲に５基の固定側座席１０，１１，１２，１３，１４が設置されたものである。
ターンテーブル２は、円板状であり、図示しないモータによって回転される。ターンテーブル上には中央に表示装置２０が設けられている。表示装置２０には移動側座席３，４，５，６，７に対応して５個の表示部が２１，２２，２３，２４，２５が設けられている（作図の関係上、表示部が２４，２５は図示せず）。表示部２１，２２，２３，２４，２５はハート型をしており、電球が内蔵されている。また表示装置には固定側座席１０，１１，１２，１３，１４に対応する数字等の記号が表示される。
【００２３】
またターンテーブル２上は、５枚の隔壁１５，１６，１７，１８，１９によって仕切られている。即ち４枚の隔壁が放射状且つ等角に設置されている。前記した様に４枚の隔壁１５，１６，１７，１８，１９は放射状に設置されているので、ターンテーブルの外周側は開放されている。
各隔壁１５，１６，１７，１８，１９の高さは、移動側座席３，４，５，６，７に座った状態で隣が見えない程度であり、表示装置の２０の表示部は２１，２２，２３，２４，２５の位置よりも低い。
【００２４】
隔壁１５，１６，１７，１８，１９によって仕切られた５つの小部屋にそれぞれ移動側座席３，４，５，６，７が一基づつ設置されている。
【００２５】
一方、ターンテーブルの周囲には、前記した様に５基の固定側座席１０，１１，１２，１３，１４が設置されている。固定側座席１０，１１，１２，１３，１４は、等間隔に設置されている。また各固定側座席１０，１１，１２，１３，１４の間には仕切り壁３０，３１，３２，３３，３４が設けられている。仕切り壁３０，３１，３２，３３，３４の高さは、前記したターンテーブル２上のそれと同一であり、固定側座席１０，１１，１２，１３，１４に座った状態で隣が見えない程度である。
【００２６】
前記した固定側座席１０，１１，１２，１３，１４及び移動側座席３，４，５，６，７にはそれぞれ投票装置４０が設けられている。投票装置４０には、５個のスイッチ４１，４２，４３，４４，４５が設けられている。５個のスイッチ４１，４２，４３，４４，４５は、各座席に対応している。すなわち固定側座席１０，１１，１２，１３，１４の投票装置４０に設けられた５個のスイッチ４１，４２，４３，４４，４５は、対する移動側座席３，４，５，６，７に対応している。
同様に移動側座席３，４，５，６，７の投票装置４０に設けられた５個のスイッチ４１，４２，５３．４４は、固定側座席１０，１１，１２，１３，１４に対応している。
【００２７】
また固定側座席１０，１１，１２，１３，１４の近傍にはスピーカー２６（音声発生手段）が設けられている。
【００２８】
次に、本実施形態の遊戯具１の遊び方について図４を参照しつつ説明する。
本実施形態の遊戯具は、１０人で遊ぶ。そして最初に１０人を二つのグループにグループ分けする。グループ分けは、男子グループと女子グループに分けるのが望ましいが、親グループと子供グループや、教師グループと生徒グループといった様な分け方もある。
【００２９】
そしてグループ分けが終わると、一方のグループの構成メンバーは固定側座席１０，１１，１２，１３，１４に座り、他方のグループの構成メンバーは移動側座席３，４，５，６，７に座る。
例えば、男子は固定側座席１０，１１，１２，１３，１４に座り、女子は移動側座席３，４，５，６，７に座る。
【００３０】
こうして準備が整うと、所定の開始スイッチ（図示せず）を操作し、遊戯具１を動作させる。なお、以下の動作は図４のフローチャートに従って自動的に行われる。
開始スイッチが操作されると、ステップ１に移行し、ターンテーブル２を一定時間回転させる。例えばターンテーブル２を１分間、回転させる。なおこの間にターンテーブル２を複数回転させることが望ましい。この様に、ターンテーブル２を一定時間回転する間に、使用者は対するグループのメンバーを見ることができる。
【００３１】
そして一定時間が経過すると、ターンテーブル２を停止させる。この時、図示しないリミットスイッチの作用により、各移動側座席３，４，５，６，７が、固定側座席１０，１１，１２，１３，１４と対向する様に位置決めされる。
続いてステップ３に移行し、音声が流される。音声は、男女の会話がスムーズに行くように話題を提供するものである。例えば「男性の方、自己紹介をしてください。」といった形式的な内容や、「スーパーマンとマイティマウスはどちらが強いと思う？」といったとりとめのない質問を行う。
【００３２】
そして３分程度、ターンテーブル２を停止させる。この間に、移動側座席３，４，５，６，７の女子と固定側座席１０，１１，１２，１３，１４の男子はお喋りを楽しむ。なお、移動側座席３，４，５，６，７同士の間や固定側座席１０，１１，１２，１３，１４同士の間には仕切り壁が設けられているので、隣接する仕切り内の様子は分からない。
従って各男女は、あたかも二人きりになった様な雰囲気で楽しくお喋りをすることができる。
【００３３】
そして所定の３分が経過すると、ターンテーブル２を５分の１回転だけ回転させる。その結果、男女の組み合わせが変わる。ここで本実施形態では、移動側座席３，４，５，６，７がターンテーブル２によって移動されるので、全ての移動側座席３，４，５，６，７が同時に移動する。そのため、前後がつかえるといったトラブルが無く、待ち時間が発生しない。
【００３４】
後は前記した工程と同様であり、スピーカーから音声が流れ、３分後に再度ターンテーブル２が５分の１回転する。
こうして４回、ターンテーブル２が回転し、男女の組み合わせが全て終了すると、ステップ１２に移行し、再度ターンテーブル２を１分程度回転させる。そしてこの間に各使用者が投票装置４０で投票を行う。即ち固定側座席１０，１１，１２，１３，１４に座った男子は、移動側座席１０，１１，１２，１３，１４に座った女子の中で気に入った人を投票する。前記した様に投票装置４０には５個のスイッチ４１，４２，５３．４４が設けられており、５個のスイッチ４１，４２，４３，４４，４５は、各座席に対応しているので、スイッチ４１，４２，４３，４４，４５のいずれかを押すことによって投票が行われる。
同様に移動側座席３，４，５，６，７に座った女子は、固定側座席１０，１１，１２，１３，１４に座った男子の中で気に入った人に投票する。
【００３５】
そして投票の結果、特定の男子が投票した女子が当該男子を投票したならば、表示装置の表示部が点灯する。
具体的に、男子Ａ，Ｂ，Ｃ，Ｄ，Ｅと、女子ａ，ｂ，ｃ，ｄ，ｅがおり、例えば男子側が、Ａ−ｄ，Ｂ−ｃ，Ｃ−ｂ，Ｄ−ａ，Ｅ−ｅという様に投票し、女子が、ａ−Ｄ，ｂ−Ｃ，ｃ−Ｂ，ｄ−Ｅ，ｅ−Ａという様に投票した場合、男子Ｂが女子ｃに投票し、対する女子ｃは、女子ｃに投票した男子Ｂに投票しているから、女子ｃが座っている仕切り内の表示部が点灯し、ハートマークが光り、男子Ｂの座席番号が表示される。また男子Ｂの区画にあるスピーカー２６からファンファーレが流れる。
特定の男子又は女子に投票したものの、残念ながら当該男子又は女子が他の女子又は男子に投票していた場合は、表示部は点灯せず、ファンファーレも流れない。
【００３６】
また例えば、格別に魅力的な女子が移動側座席３，４，５，６，７のいずれかに座っており、固定側座席１０，１１，１２，１３，１４の男子全員が、その女子に投票したならば、当該女子が座っている区画の表示部には、当該女子が投票した男子の座席番号が表示されることとなる。
【００３７】
以上説明した遊戯具１では、ターンテーブル上に移動側座席３，４，５，６，７を設置した例を示したが、移動側座席３，４，５，６，７を移動させる手段は任意である。図５，６，７は、本発明の他の実施形態であり、移動側座席を移動させる装置が異なる例を示す。
即ち図５に示す遊戯具５０は、中心部から５本のアーム５１が設けられており、当該アーム５１の先端に移動側座席５２が設けられている。また移動側座席５２の下部にはコロ（図示せず）が設けられており、アーム５１の回転によって移動側座席５２が床面を走行する。また各移動側座席５２はアーム５１を介して互いに連結されているので、各移動側座席５２は同時に移動する。
【００３８】
図６に示す遊戯具５５は、円錐状の駕籠体５６に移動側座席５７が設けられたものである。本実施形態についても、各移動側座席５７は駕籠体５６を介して互いに連結されているので、各移動側座席５７は同時に移動する。
【００３９】
さらに図７は、コンベア装置６０によって移動側座席６１を移動させるものである。即ちコンベア装置６０は、６基の設置テーブル６２が環状に繋がったものであり、図示しないチェーン等で動作する。なお、コンベア装置６０の周囲には固定側座席が設けられている。
【００４０】
上記した実施形態では、移動側座席に仕切り壁を設けたが、暗いイメージを嫌う場合には、当該仕切り壁はなくてもよい。むしろ、未成年者が使用するときには当該仕切り壁はない方がよいかもしれない。
上記した実施形態では、内側に移動側座席があり、その周囲に固定側座席があったが、その逆でも構わない。即ち、中央側に固定側座席があって、その周囲に移動側座席があり、固定側座席の周囲を移動側座席が移動するものであってもよい。
本実施形態の遊戯具は、従来無かった新しい遊びを提供するものであり、楽しいものである。
【図面の簡単な説明】
【００４１】
【図１】本発明の実施形態の遊戯具の斜視図である。
【図２】図１の遊戯具の固定側座席及びその周辺の斜視図である。
【図３】図１の遊戯具のターンテーブル上の表示装置と隔壁を示す斜視図である。
【図４】図１の遊戯具の動作を示すフローチャートである。
【図５】本発明の他の実施形態の遊戯具の斜視図である。
【図６】本発明のさらに他の実施形態の遊戯具の斜視図である。
【図７】本発明のさらに他の実施形態の遊戯具の平面図である。
【符号の説明】
【００４２】
１  遊戯具
２  ターンテーブル
３，４，５，６，７  移動側座席
１０，１１，１２，１３，１４  固定側座席
１５，１６，１７，１８，１９  隔壁
２０  表示装置
２１，２２，２３，２４，２５  表示部
３０，３１，３２，３３，３４  仕切り壁
【図１】
2006223727.tif 000003
【図２】
2006223727.tif 000004
【図３】
2006223727.tif 000005
【図４】
2006223727.tif 000006
【図５】
2006223727.tif 000007
【図６】
2006223727.tif 000008
【図７】
2006223727.tif 000009